(57)【要約】【課題】ドアガード装置の施錠と解錠とを家の外から行えるようにしたドアガード装置を提供すること。【解決手段】ドア又はドアフレームの一方に揺動可能に取り付けた係止アーム１のスライド溝２に、ドア又はドアフレームのもう一方に固定した係止ピン３をスライド可能に掛け止めるドアガード装置において、係止アーム１に、係止ピン４の頭部３が挿通可能な幅の溝５１を備えた係止アーム本体５と、この係止アーム本体５の溝５１に沿い溝５１の長手方向に亘り配設され、溝５１の幅方向に移動して溝幅を変えるロック用部材７と、このロック用部材７を移動させる移動機構８と、この移動機構８を施錠する施錠機構９とを備えるようにする。【選択図】　図１
2004100410.tif 000002
【特許請求の範囲】
【請求項１】
ドア又はドアフレームの一方に揺動可能に取り付けた係止アームのスライド溝に、ドア又はドアフレームのもう一方に固定した係止ピンをスライド可能に掛け止めるドアガード装置において、前記係止アームに、係止ピンの頭部が挿通可能な幅の溝を備えた係止アーム本体と、該係止アーム本体の溝に沿い溝の長手方向に亘り配設され、溝の幅方向に移動して溝幅を変えるロック用部材と、該ロック用部材を移動させる移動機構と、該移動機構を施錠する施錠機構とを備えてなることを特徴とするドアガード装置。
【請求項２】
係止アーム本体内を長手方向に移動するシリンダーカムを配設し、該シリンダーカムを介してロック用部材を移動させるようにしたことを特徴とする請求項１記載のドアガード装置。
【請求項３】
ロック用部材を溝の上下にそれぞれ配設したことを特徴とする請求項１又は２記載のドアガード装置。
【発明の詳細な説明】
【０００１】
【発明の属する技術分野】
本発明は、玄関等のドアを半開きの状態でロックすることができるドアガード装置に関し、特に、施錠と解錠とを家の外から行えるようにしたドアガード装置に関するものである。
【０００２】
【従来の技術】
従来、玄関ドア等の防犯用として、ドア本体に取り付けたシリンダー錠とは別に、防犯の用心鎖としてドアガード装置が設置されている。
このドアガード装置は、例えば、ドア先端部の内側に揺動可能に取り付けられた係止アームと、ドアフレーム側に固定され、係止アームのスライド溝に頭部を掛止して、スライド可能に掛け止められる係止ピンとを備えている。
そして、係止ピンを係止アームのスライド溝に挿入した状態でドアを開くと、ドアは係止ピンがスライド溝を移動する範囲内でしか開くことができず、半開きの状態でロックすることができる。
【０００３】
【発明が解決しようとする課題】
ところで、このドアガード装置は、その機能上の理由から、家の外側からはフックボルトの係止操作や係止解除操作ができない機構となっている。
このため、例えば、家人が既に就寝してしまっているような深夜等に帰宅した場合、ドアガード装置が係止されていると、ドアのシリンダー錠を解錠しても、ドアガード装置によりドアを全開することができず、このため、家人の誰かが起きてドアガード装置の係止を解除しなければならないという不便さがあり、防犯の用心鎖としてのドアガード装置が有効活用できないという問題があった。
また、家人全員が外出するような場合には、家の外側から施錠操作をすることができるシリンダー錠を施錠するのみで、ドアガード装置を利用することができなかった。
【０００４】
本発明は、上記従来のドアガード装置が有する問題点に鑑み、ドアガード装置の施錠と解錠とを家の外から行えるようにしたドアガード装置を提供することを目的とする。
【０００５】
【課題を解決するための手段】
上記目的を達成するため、本発明のドアガード装置は、ドア又はドアフレームの一方に揺動可能に取り付けた係止アームのスライド溝に、ドア又はドアフレームのもう一方に固定した係止ピンをスライド可能に掛け止めるドアガード装置において、前記係止アームに、係止ピンの頭部が挿通可能な幅の溝を備えた係止アーム本体と、該係止アーム本体の溝に沿い溝の長手方向に亘り配設され、溝の幅方向に移動して溝幅を変えるロック用部材と、該ロック用部材を移動させる移動機構と、該移動機構を施錠する施錠機構とを備えてなることを特徴とする。
【０００６】
このドアガード装置は、係止アームに、係止ピンの頭部が挿通可能な幅の溝を備えた係止アーム本体と、該係止アーム本体の溝に沿い溝の長手方向に亘り配設され、溝の幅方向に移動して溝幅を変えるロック用部材と、該ロック用部材を移動させる移動機構と、該移動機構を施錠する施錠機構とを備えることにより、ロック用部材を広げた状態で係止ピンを係止アーム本体の溝に挿入するとともに、キー等によってロック機構を操作し、ロック用部材を溝幅を狭める位置に移動させることにより、家の外からドアガード装置を施錠することができる。
また、キー等によってロック機構を操作し、ロック用部材を溝幅を広げる位置に移動させることにより係止アーム本体の溝を広く開放するとともに、係止ピンを該溝から抜くことにより、家の外からドアガード装置を解錠することができる。
【０００７】
この場合において、係止アーム本体内を長手方向に移動するシリンダーカムを配設し、該シリンダーカムを介してロック用部材を移動させるように構成することができる。
【０００８】
これにより、ロック用部材の移動と固定を容易に行うことができる。
【０００９】
また、ロック用部材を溝の上下にそれぞれ配設することができる。
【００１０】
これにより、移動機構の小さな動作で溝幅を変化させることができ、ドアガード装置の使い勝手を向上させることができる。
【００１１】
【発明の実施の形態】
以下、本発明のドアガード装置の実施の形態を図面に基づいて説明する。
【００１２】
図１〜図７に、本発明のドアガード装置の一実施例を示す。
このドアガード装置は、図１〜図４に示すように、ドアＤの先端部内側に揺動可能に取り付けられた係止アーム１と、ドアフレームＦ側に固定され、係止アーム１のスライド溝２に頭部３を掛止して、スライド可能に掛け止められる係止ピン４とを備えている。
そして、前記係止アーム１は、係止ピン４の頭部３が挿通可能な幅の溝５１を備えた係止アーム本体５と、係止ピン４の頭部３が挿通可能な幅のカム溝６１を備えるとともに、係止アーム本体５内で長手方向に摺動可能に配設されたシリンダーカム６と、係止アーム本体５内で溝５１に沿って配設され、シリンダーカム６の移動により溝５１の幅方向に移動して溝幅を変えるロック用部材７と、前記シリンダーカム６を移動させる移動機構８と、該移動機構８を施錠する施錠機構９とを備えている。
【００１３】
係止ピン４は、図５に示すように、受け座本体１０の長溝１１に移動可能に立設されており、裏板１２との間に配設されたばね１３により弾支されている。これにより、係止ピン４は、ドアＤの取付の不具合等によって係止アーム１の水平な揺動に若干の狂いが生じた場合でも、長溝１１に沿って上下移動することによって対応することができる。
係止ピン４の頭部３は軸部より大径に形成されており、頭部３は、係止アーム本体５の溝５１を挿通するが、ロック用部材７が溝幅を狭めた状態では係止アーム本体５から抜けない状態となる。
【００１４】
係止アーム本体５は、図１〜図３、図６に示すように、外側を取り囲む断面コ字状のケーシング５２と、該ケーシング５２の内部に配設されるハウジング部材５３とを備えている。
ケーシング５２とハウジング部材５３は、長手方向に形成された係止ピン４の頭部３が挿通可能な幅の溝５１をそれぞれ備え、また、各々の下部中央には、施錠機構９が嵌合する嵌合孔５４が形成されている。
ハウジング部材５３の揺動基部側には、台座１４の枢軸１５が挿通する貫通孔５５が形成されるとともに、前記溝５１の上下にロック用部材７を上下に摺動可能に支持するロックカム用凹部５６と、後述するロック用部材７の突起７１が上下動可能に嵌挿される複数の縦溝５７が形成されている。
また、ハウジング部材５３のロックカム用凹部５６の後方には、シリンダーカム６を左右移動可能に支持するシリンダーカム用凹部５８が形成されている。
【００１５】
シリンダーカム６は、図７（ｃ）〜（ｅ）にも示すように、本実施例ではチャンネル状に形成された金属プレートからなり、カム溝６１の上下に形成された上下１対の前壁６２には、ロック用部材７の突起７１が斜め移動可能に嵌挿される複数の斜溝６３が形成されている。
また、このシリンダーカム６の下部には、後述する移動機構８のギヤ８１と歯合するラック６４が形成されている。
【００１６】
ロック用部材７は、図７（ｈ）〜（ｊ）にも示すように、本実施例では、係止アーム１のケーシング５２の溝５１の長手方向に亘る１対の金属プレートからなり、ケーシング５２前壁６２の後に形成さたロックカム用凹部５６に上下に摺動可能に配設されている。
このロック用部材７は、シリンダーカム６側に突設された複数の突起７１を備え、これらの突起７１は、係止アーム本体５の縦溝５７を貫通してシリンダーカム６の斜溝６３に摺動可能に嵌挿されている。
これにより、シリンダーカム６が左右に移動すると、斜溝６３内で突起７１の位置が変化することになり、その結果、ロック用部材７は溝幅方向に移動することができる。
このロック用部材７は、前記したシリンダーカム６の移動により、溝幅を狭めて係止ピン４の頭部３が抜けない位置と、溝幅を広げて係止ピン４の頭部３が抜ける位置とに選択的に固定される。
【００１７】
移動機構８は、図７（ｆ）〜（ｇ）に示すように、施錠機構９と一体に形成されており、施錠機構９のシリンダー９１の外周部に形成されたギヤ８１を備えている。
このギヤ８１は、施錠機構９をキー等により回転させた際に、シリンダー９１が回転することにより、ラック６４を介してシリンダーカム６を左右に移動させることができる。
【００１８】
施錠機構９は、図７（ｆ）〜（ｇ）に示すように、例えばシリンダー錠からなり、キー等を用いてシリンダー９１を回転させ、ロック位置とロック解除位置とに選択的に固定することができる。
そして、この施錠機構９は、移動機構８とシリンダーカム６を介し、ロック位置でロック用部材７を溝幅を狭めた位置で固定し、ロック解除位置でロック用部材７を溝幅を広げた位置で固定することができる。
なお、本実施例では、施錠機構９のキー（図示省略）は施錠解除状態では施錠機構９から抜けないように配慮されている。
【００１９】
かくして、本実施例のドアガード装置は、係止アーム１に、係止ピン４の頭部３が挿通可能な幅の溝５１を備えた係止アーム本体５と、該係止アーム本体５の溝５１に沿いその長手方向に亘り配設され、溝５１の幅方向に移動して溝幅を変えるロック用部材７と、該ロック用部材７を移動させる移動機構８と、該移動機構８を施錠する施錠機構９とを備えることにより、ロック用部材７を広げた状態で係止ピン４を係止アーム本体５の溝５１に挿入するとともに、キー等によってロック機構を操作し、ロック用部材７を溝幅を狭める位置に移動させることにより、家の外からドアガード装置を施錠することができる。
また、キー等によってロック機構を操作し、ロック用部材７を溝幅を広げる位置に移動させることにより係止アーム本体５の溝５１を広く開放するとともに、係止ピン４を該溝５１から抜くことにより、家の外からドアガード装置を解錠することができる。
そして、係止アーム本体５内を長手方向に移動するシリンダーカム６を配設し、該シリンダーカム６を介してロック用部材７を移動させるように構成することにより、ロック用部材７の移動と固定を容易に行うことができ、さらに、ロック用部材７を溝５１の上下にそれぞれ配設することにより、移動機構８の小さな動作で溝幅を変化させることができ、ドアガード装置の使い勝手を向上させることができる。
【００２０】
以上、本発明の実施例を説明したが、本発明のドアガード装置は、この実施例の記載に限定されるものではなく、その趣旨を逸脱しない範囲において適宜に変更することが可能である。
【００２１】
【発明の効果】
本発明のドアガード装置によれば、係止アームに、係止ピンの頭部が挿通可能な幅の溝を備えた係止アーム本体と、該係止アーム本体の溝に沿い溝の長手方向に亘り配設され、溝の幅方向に移動して溝幅を変えるロック用部材と、該ロック用部材を移動させる移動機構と、該移動機構を施錠する施錠機構とを備えることにより、ロック用部材を広げた状態で係止ピンを係止アーム本体の溝に挿入するとともに、キー等によってロック機構を操作し、ロック用部材を溝幅を狭める位置に移動させることにより、家の外からドアガード装置を施錠することができる。
また、キー等によってロック機構を操作し、ロック用部材を溝幅を広げる位置に移動させることにより係止アーム本体の溝を広く開放するとともに、係止ピンを該溝から抜くことにより、家の外からドアガード装置を解錠することができる。
このように、本発明のドアガード装置は、キー等によってロック機構を操作して、係止アーム本体の溝の溝幅を変えるようにしているため、係止ピンを係止アーム本体の溝の任意位置で挿脱することが可能となり、操作性を著しく向上することができる。
【００２２】
また、係止アーム本体内を長手方向に移動するシリンダーカムを配設し、該シリンダーカムを介してロック用部材を移動させるように構成することにより、ロック用部材の移動と固定を容易に行うことができる。
【００２３】
また、ロック用部材を溝の上下にそれぞれ配設することにより、移動機構の小さな動作で溝幅を変化させることができ、ドアガード装置の使い勝手を向上させることができる。
【図面の簡単な説明】
【図１】本発明のドアガード装置の一実施例の施錠状態を示し、（ａ）は係止アームの正面透視図、（ｂ）は（ａ）のＡ−Ａ線断面図、（ｃ）は係止ピンを掛止した係止アームの断面図である。
【図２】本発明のドアガード装置の一実施例の解錠状態を示し、（ａ）は係止アームの正面透視図、（ｂ）は同断面図である。
である。
【図３】係止アームを示し、（ａ）は施錠状態の正面図、（ｂ）は解錠状態の正面図である。
【図４】同実施例のドアに取り付けたドアガード装置を示し、（ａ）は係止アームを示す正面図、（ｂ）は係止ピンを係止アーム本体に掛止させた状態を示す平面図、（ｃ）は係止ピンを係止アーム本体に掛止させた状態でドアを開いた平面図、（ｄ）はドアガード装置を解錠して係止ピンを係止アームから抜いた状態を示す平面図である。
【図５】係止ピンを示し、（ａ）〜（ｃ）はその三面図、（ｄ）〜（ｆ）は受け座本体の三面図、（ｇ）〜（ｉ）は係止ピン本体の三面図、（ｊ）はばねの正面図、（ｋ）は裏板の正面図である。
【図６】係止アームを示し、（ａ）はハウジング部材の正面図、（ｂ）は同背面図、（ｃ）はケーシングの正面図、（ｄ）は同背面図、（ｅ）は同側面図である。
【図７】（ａ）は係止アームの台座の正面図、（ｂ）は同側面図、（ｃ）はシリンダーカムの正面図、（ｄ）は同底面図、（ｅ）は同側面図、（ｆ）は施錠機構と移動機構の正面図、（ｇ）は同側面図、（ｈ）はロック用部材の正面図、（ｉ）は同平面図、（ｊ）は同側面図である。
【符号の説明】
１　　係止アーム
２　　スライド溝
３　　頭部
４　　係止ピン
５　　係止アーム本体
５１　溝
５２　ケーシング
５３　ハウジング部材
５４　嵌合孔
５５　貫通孔
５６　ロックカム用凹部
５７　縦溝
５８　シリンダーカム用凹部
６　　シリンダーカム
６１　カム溝
６２　前壁
６３　斜溝
６４　ラック
７　　ロック用部材
７１　突起
８　　移動機構
８１　ギヤ
９　　施錠機構
９１　シリンダー
１０　受け座本体
１１　長溝
１２　裏板
１３　ばね
１４　台座
１５　枢軸
【図１】
2004100410.tif 000003
【図２】
2004100410.tif 000004
【図３】
2004100410.tif 000005
【図４】
2004100410.tif 000006
【図５】
2004100410.tif 000007
【図６】
2004100410.tif 000008
【図７】
2004100410.tif 000009